(57)【要約】【課題】端末装置が大型になる、組み立てが困難になるなどの問題点を改善する。【解決手段】第１状態では互いに重なる位置に配置されて、第２状態では互いに水平な位置に配置されるようにスライド可能な第１スライドパーツ及び第２スライドパーツと、第１スライドパーツに取り付けられる第１ピンと、第１ピンが挿通され第１スライドパーツのスライド移動をガイドする第１ガイド穴が設けられたガイドプレートを備え、第１ガイド穴は、第１スライドパーツと第２スライドパーツとが重なった状態にあるときには第１スライドパーツを水平方向にガイドし、第１スライドパーツと第２スライドパーツの重なりが解消された状態にあるときには第１スライドパーツを鉛直方向にガイドする。【選択図】図３
2015039099.tif 000002
【特許請求の範囲】
【請求項１】
第１状態では互いに重なる位置に配置されて、第２状態では互いに水平な位置に配置されるようにスライド可能な第１スライドパーツ及び第２スライドパーツと、
前記第１スライドパーツに取り付けられる第１ピンと、
前記第１ピンが挿通され前記第１スライドパーツのスライド移動をガイドする第１ガイド穴が設けられたガイドプレートとを備え、
前記第１ガイド穴は、前記第１スライドパーツと前記第２スライドパーツとが重なった状態にあるときには前記第１スライドパーツを水平方向にガイドし、前記第１スライドパーツと前記第２スライドパーツの重なりが解消された状態にあるときには前記第１スライドパーツを鉛直方向にガイドすること、
を特徴とするスライド構造。
【請求項２】
前記第２スライドパーツに取り付けられる第２ピンとを備え、
前記ガイドプレートは、前記第２ピンが挿通され前記第２スライドパーツのスライド移動をガイドする第２ガイド穴をさらに有し、
前記第２ガイド穴は、前記第１スライドパーツと前記第２スライドパーツとが重なった状態にあるときには前記第２スライドパーツを前記第１スライドパーツとは逆の水平方向にガイドし、前記第１スライドパーツと前記第２スライドパーツの重なりが解消された状態にあるときには前記第２スライドパーツを前記第１スライドパーツとは逆の鉛直方向にガイドすること、
を特徴とする請求項１に記載のスライド構造。
【請求項３】
前記第２ガイド穴は、前記ガイドプレートの中央を中心として前記第１スライドパーツと点対称に位置するように前記第２スライドパーツをガイドすることを特徴とする請求項２に記載のスライド構造。
【請求項４】
前記第１ピンと前記第２ピンとを連行するワイヤをさらに備え、
前記ガイドプレートは、前記第１ガイド穴と前記第２ガイド穴とを連通するワイヤ溝を有し、
前記ワイヤは、前記第１スライドパーツの移動と前記第２スライドパーツの移動とを連動させることを特徴とする請求項３に記載のスライド構造。
【請求項５】
第１状態では互いに重なる位置に配置されて、第２状態では互いに水平な位置に配置されるようにスライド可能な第１スライドパーツ及び第２スライドパーツと、
前記第１スライドパーツに取り付けられる第１ピンと、
前記第１ピンが挿通され前記第１スライドパーツのスライド移動をガイドする第１ガイド穴が設けられたガイドプレートとによって、
前記第１スライドパーツと前記第２スライドパーツとが重なった状態にあるときには前記第１スライドパーツを水平方向にガイドし、前記第１スライドパーツと前記第２スライドパーツの重なりが解消された状態にあるときには前記第１スライドパーツを鉛直方向にガイドすること、
を特徴とするスライド方法。
【請求項６】
第１状態では互いに重なる位置に配置されて、第２状態では互いに水平な位置に配置されるようにスライド可能な第１スライドパーツ及び第２スライドパーツと、
前記第１スライドパーツに取り付けられる第１ピンと、
前記第１ピンが挿通され前記第１スライドパーツのスライド移動をガイドする第１ガイド穴が設けられたガイドプレートを備え、
前記第１ガイド穴は、前記第１スライドパーツと前記第２スライドパーツとが重なった状態にあるときには前記第１スライドパーツを水平方向にガイドし、前記第１スライドパーツと前記第２スライドパーツの重なりが解消された状態にあるときには前記第１スライドパーツを鉛直方向にガイドすること、
を特徴とする端末装置。
【発明の詳細な説明】
【技術分野】
【０００１】
本発明は、スライド構造、スライド方法及び端末装置に関する。
【背景技術】
【０００２】
携帯電話、スマートフォン、ゲーム機、ノートＰＣ、ＰＤＡ（Ｐｅｒｓｏｎａｌ  Ｄａｔａ  Ａｓｓｉｓｔａｎｔｓ：携帯情報端末）などの端末装置には、ディスプレイを２つ備えたもの（デュアルディスプレイ、マルチディスプレイなどと称される）がある。そして、一方のディスプレイが露出する１画面モードと、両方のディスプレイが同一平面上に露出する２画面モード（フルフラットとも称される）とを切り替えるための発明もある（特許文献１〜３参照）。
【先行技術文献】
【特許文献】
【０００３】
【特許文献１】特開２０１２−１５８８８号公報
【特許文献２】特開２０１２−１８６０９号公報
【特許文献３】特開２０１２−２９１６５号公報
【発明の概要】
【発明が解決しようとする課題】
【０００４】
以下の分析は、本発明の観点からなされたものである。なお、上記先行技術文献の各開示を、本書に引用をもって繰り込むものとする。
【０００５】
上記の端末装置におけるモード切替は複雑な構成を必要とするため、端末装置が大型になる、組み立てが困難になるといった問題点が生じていた。例えば、特許文献１〜３に開示の発明では、ディスプレイは水平方向にはスライド可能であるものの、鉛直方向には２つの筐体を接続するアームの回転によって移動させている。すなわち、特許文献１〜３に開示の発明では、水平方向の移動と、鉛直方向の移動とが別個の機構で実現されており上記の問題点が生じていた。
【０００６】
以上のとおり、本発明の一側面において、単純な構成で１画面モードと２画面モードの切り替えを実現し得るスライド構造、スライド方法及び端末装置が望まれる。
【課題を解決するための手段】
【０００７】
本発明の第１の視点によれば、第１状態では互いに重なる位置に配置されて、第２状態では互いに水平な位置に配置されるようにスライド可能な第１スライドパーツ及び第２スライドパーツと、第１スライドパーツに取り付けられる第１ピンと、第１ピンが挿通され第１スライドパーツのスライド移動をガイドする第１ガイド穴が設けられたガイドプレートを備え、第１ガイド穴は、第１スライドパーツと第２スライドパーツとが重なった状態にあるときには第１スライドパーツを水平方向にガイドし、第１スライドパーツと第２スライドパーツの重なりが解消された状態にあるときには第１スライドパーツを鉛直方向にガイドすること、を特徴とするスライド構造が提供される。
【０００８】
本発明の第２の視点によれば、第１状態では互いに重なる位置に配置されて、第２状態では互いに水平な位置に配置されるようにスライド可能な第１スライドパーツ及び第２スライドパーツと、第１スライドパーツに取り付けられる第１ピンと、第１ピンが挿通され第１スライドパーツのスライド移動をガイドする第１ガイド穴が設けられたガイドプレートとによって、第１スライドパーツと第２スライドパーツとが重なった状態にあるときには第１スライドパーツを水平方向にガイドし、第１スライドパーツと第２スライドパーツの重なりが解消された状態にあるときには第１スライドパーツを鉛直方向にガイドすること、を特徴とするスライド方法が提供される。
【０００９】
本発明の第３の視点によれば、第１状態では互いに重なる位置に配置されて、第２状態では互いに水平な位置に配置されるようにスライド可能な第１スライドパーツ及び第２スライドパーツと、第１スライドパーツに取り付けられる第１ピンと、第１ピンが挿通され第１スライドパーツのスライド移動をガイドする第１ガイド穴が設けられたガイドプレートを備え、第１ガイド穴は、第１スライドパーツと第２スライドパーツとが重なった状態にあるときには第１スライドパーツを水平方向にガイドし、第１スライドパーツと第２スライドパーツの重なりが解消された状態にあるときには第１スライドパーツを鉛直方向にガイドすること、を特徴とする端末装置が提供される。
【発明の効果】
【００１０】
本発明の各視点によれば、端末装置が大型になる、組み立てが困難になるなどの問題点を改善するスライド構造、スライド方法及び端末装置が提供される。
【図面の簡単な説明】
【００１１】
【図１】端末装置の斜視図である。
【図２】スライド構造の斜視図である。
【図３】スライド構造の正面図である。
【図４】第１形態の端末装置の三面図である。
【図５】第２形態の端末装置の三面図である。
【図６】スライド構造の斜視図である。
【図７】別の角度から観たスライド構造の展開斜視図である。
【図８】スライドパーツの六面図である。
【図９】ガイドプレートを示す図である。
【図１０】外側スライド面を正面に見たガイドプレートのＹＺ平面図である。
【図１１】パーツ側スライド面を正面に見たガイドプレートのＹＺ平面図である。
【図１２】各パーツの動きを説明するための図である。
【図１３】アンテナの位置の一例を示す図である
【発明を実施するための形態】
【００１２】
先ず、本発明の概要について説明する。なお、以下の概要は一形態を示すものに過ぎず、本発明全体を限定するものではない。また、付記した図面参照符号は、理解を助けるための一例として各要素に便宜上付記したものであり、本発明を図示の態様に限定することを意図するものではない。
【００１３】
図１は、端末装置の斜視図である。図１に示すように、本発明のスライド構造は、一方のディスプレイが露出する１画面モード（第１形態、図１Ａ）と、両方のディスプレイが同一平面上に露出する２画面モード（第２形態、図１Ｂ）とを切り替える。図２は、スライド構造の斜視図である。本発明に係るスライド構造は、図２Ａ（展開図）に示すように、第１スライドパーツ１００、第２スライドパーツ２００、第１ピン１１０及びガイドプレート３００を備える。第１形態では、図２Ｂに示すように第１スライドパーツ１００と第２スライドパーツ２００とが互いに重なる位置に配置され、第２形態では図２Ｃに示すように第１スライドパーツ１００と第２スライドパーツ２００とが互いに水平方向にずれた位置に配置される。
【００１４】
具体的に一例を挙げて説明すると、第１スライドパーツ１００は、ディスプレイを有する筐体（表示筐体と称する）が取り付けられるパーツであり、図２Ａに示すように板状の構造を有する。なお以下では、第１スライドパーツ１００においてガイドプレート３００に対向する面を第１スライド面１０１と称し、表示筐体が取り付けられる面（第１スライド面１０１の裏面に相当）を第１設置面１０２と称する。また、残りの４面について、第１スライド面１０１を正面に見た位置に対応するように、それぞれ、第１底面１０３、第１上面１０４、第１左側面１０５、第１右側面１０６と称する。なお、図２Ａでは、第１設置面１０２、第１底面１０３及び第１右側面１０６は図示されない。
【００１５】
第１ピン１１０は第１スライド面１０１の角部（特に、第１底面１０３と第１左側面１０５が接する角部）に取り付けられる。
【００１６】
第２スライドパーツ２００も表示筐体が取り付けられるパーツであり、板状の構造を有する。第２スライドパーツ２００の各面も同様に、第２スライド面２０１、第２設置面２０２、第２底面２０３、第２上面２０４、第２左側面２０５、及び、第２右側面２０６と称する。なお、図２Ａでは、第２設置面２０２、第２底面２０３及び第２右側面２０６は図示されない。
【００１７】
ガイドプレート３００は、第１スライドパーツ１００のスライド移動をガイドするプレートであり、少なくとも第２スライドパーツ２００よりも大きい板状の構造を有する。ガイドプレート３００において第１スライドパーツ１００及び第２スライドパーツ２００に対向する面をパーツ側スライド面３０２と称し、パーツ側スライド面３０２の裏面に相当する面を外側スライド面３０１と称する。また、残りの４面について、外側スライド面３０１を正面に見た位置に対応するように、それぞれ、ガイド底面３０３、ガイド上面３０４、ガイド左側面３０５、ガイド右側面３０６と称する。なお、図２Ａでは、パーツ側スライド面３０２、ガイド底面３０３及びガイド右側面３０６は図示されない。
【００１８】
ガイドプレート３００は、第１ピン１１０が挿通される第１ガイド穴３１０を有する。図示の例では、第１ガイド穴３１０は外側スライド面３０１からパーツ側スライド面３０２に貫通しており、第２スライドパーツ２００の外周（特に、第２上面２０４及び第２右側面２０６の外周）に沿って逆Ｌ字を描画するように形成される。
【００１９】
第１形態から第２形態への切り替え動作について説明する。図３は、スライド構造の正面図（第１スライド面１０１、第２スライド面２０１、外側スライド面３０１を正面に観た図）である。図３に示すように、第２スライドパーツ２００とガイドプレート３００は、第２スライド面２０１とパーツ側スライド面３０２とが対向し、第２上面２０４及び第２右側面２０６が第１ガイド穴３１０に沿うように取り付けられる。なお、第２スライドパーツ２００は、ガイドプレート３００に固定されてもよいし、ガイドプレート３００と一体的に構成されてもよい。
【００２０】
第１スライドパーツ１００とガイドプレート３００は、第１ピン１１０が第１ガイド穴３１０に挿通するように取り付けられる。すなわち、第１スライド面１０１はパーツ側スライド面３０２と対向するが、第１スライドパーツ１００はガイドプレート３００に固定されない。そのため、第１スライドパーツ１００は第１ガイド穴３１０に沿ってスライド可能である。
【００２１】
図３Ｂ（１）に示すように、第１形態では、第１スライドパーツ１００が第２スライドパーツ２００の上に重なった状態に、言い換えると、第１底面１０３と第２上面２０４とが対向するように配置される。このとき、第１底面１０３と第２上面２０４とが当接している必要は無く、第１スライドパーツ１００と第２スライドパーツ２００は、ガイドプレート３００及び第１ピン１１０を介してリンクされていれば良い。なお、図３Ｂでは、ガイドプレート３００の背後に第１スライドパーツ１００及び第２スライドパーツ２００が配置されており、ガイドプレート３００によって視覚不可な第２スライドパーツ２００は破線で示されている。
【００２２】
そして、第１形態から、第１スライドパーツ１００が水平方向に（図示の例では、第１左側面１０５と第２右側面２０６とが近づくように）スライド移動して、図３Ｂ（２）に示す中間形態に至る。このときに、第１底面１０３と第２上面２０４とは互いにずれた位置に配される。言い換えると、第１スライドパーツ１００と第２スライドパーツ２００の重なりが解消された状態になる。
【００２３】
続いて、中間形態から第１スライドパーツ１００が鉛直下方向に（図示の例では、第１上面１０４と第２上面２０４とが近づくように）スライド移動して、図３Ｂ（３）に示す第２形態に至る。
【００２４】
なお、図３Ｂ（３）から図３Ｂ（１）に到るようにすれば、第２形態から第１形態への切り替えも可能である。
【００２５】
このように、本発明によれば、単純な構成のスライド機構で１画面モードと２画面モードとを切り替えることができる。
【００２６】
［実施形態１］
以下では、本発明のとり得る好適な一実施形態について説明する。図４は、第１形態の端末装置の三面図である。図５は、第２形態の端末装置の三面図である。図４に示すように、第１形態では表示筐体１は表示筐体２に重なるように配置され、図５に示すように、第２形態では表示筐体１と表示筐体２とが互いに水平方向にずれた位置に配置される。そして、表示筐体１及び表示筐体２は一対のスライド構造３及び４によって挟持されており、スライド構造３及び４は表示筐体１及び２に対して対照的な構造を有する。
【００２７】
図６は、スライド構造３の斜視図である。図６Ｂの展開斜視図に示すように、スライド構造３は、第１スライドパーツ１００、第２スライドパーツ２００、第１ピン１１０、第２ピン２１０、第１カバープレート１１１、第２カバープレート２１１、ガイドプレート３００及びワイヤ４００を備える。第１スライドパーツ１００と第２スライドパーツ２００は、上下逆様にガイドプレート３００に取り付けられる他は同一の構成を有する。図７は、別の角度から観たスライド構造３の展開斜視図である。
【００２８】
図８は、スライドパーツの六面図（第１スライド面１０１を正面に見た図）である。第１スライドパーツ１００の各面（第１スライド面１０１、第１設置面１０２、第１底面１０３、第１上面１０４、第１左側面１０５、第１右側面１０６）は図示のとおりである。また、第２スライドパーツ２００の各面は上下逆様であり、第２スライド面２０１、第２設置面２０２、第２底面２０３、第２上面２０４、第２左側面２０５、及び、第２右側面２０６は図示のとおりである。
【００２９】
第１スライドパーツ１００を例に挙げて説明すると、第１スライドパーツ１００は、第１スライド面１０１から突出する突起部１２１と段差部１２２とを有する。そして、第１スライド面１０１には第１スライド面１０１から第１設置面１０２へ貫通するピン穴１２３が設けられ、段差部１２２にも第１設置面１０２へ貫通する接合穴１２４が設けられる。さらに接合穴１２４の側壁面には一対の切込部１２５が設けられる。特に、切込部１２５は第１カバープレート１１１に取り付けられた一対の接合爪１２６（図７参照）に対応するように配されており、接合爪１２６を接合穴１２４に押し込み、切込部１２５に係合させることによって、第１カバープレート１１１が第１スライドパーツ１００に係止される。ピン穴１２３には、第１ピン１１０が嵌入される。なお、ピン穴１２３に対応するピン穴１２７（図７参照）が第１カバープレート１１１にも設けられており、第１ピン１１０はピン穴１２７にも嵌入して、第１スライドパーツ１００と第１カバープレート１１１によって挟持される。
【００３０】
図９は、ガイドプレート３００を示す図である。なお、図９Ａはガイドプレート３００の六面図であり、図９ＢはＺ１−Ｚ２線断面図であり、図９ＣはＹ１−Ｙ２線断面図であり、図９Ｄは斜視図である。ガイドプレート３００は、第１スライドパーツ１００及び第２スライドパーツ２００と同一の大きさの板状であり、段差部１２２に対応する厚さの長方体の構造を有する。外側スライド面３０１、パーツ側スライド面３０２、ガイド底面３０３、ガイド上面３０４、ガイド左側面３０５、ガイド右側面３０６は図示のとおりである。
【００３１】
図９に示すように、ガイドプレート３００には、外側スライド面３０１からパーツ側スライド面３０２に貫通する第１ガイド穴３１０と第２ガイド穴３１１とが設けられる。第２ガイド穴３１１は、外側スライド面３０１の中央を中心に第１ガイド穴３１０と点対称に設けられる。そして、外側スライド面３０１には、第１ガイド穴３１０と第２ガイド穴３１１とを繋ぐ一対のワイヤ溝３１２、３１３が設けられる。なお、図９における斜線部は、背面へ向って陥没している箇所を示す。
【００３２】
ガイド穴等の構造について詳細に説明する。図１０は、外側スライド面３０１を正面に見たガイドプレート３００のＹＺ平面図である。図１０では、外側スライド面３０１の中央を原点Ｏとする。ガイド底面３０３はＺ軸と点（０，−ｚ１）で交差し、ガイド上面３０４はＺ軸と点（０，ｚ１）で交差する。また、ガイド左側面３０５はＹ軸と点（−ｙ１，０）で交差し、ガイド右側面３０６はＹ軸と点（ｙ１，０）で交差する。
【００３３】
第１ガイド穴３１０は、ガイドプレート３００の外周に沿って外側スライド面３０１に「つ」の字を描画するように設けられる。具体的には、第１ガイド穴３１０は、外側スライド面３０１の中央からガイド上面３０４とガイド左側面３０５に所定の距離ずつ近づいた開始点（−ｙ２，ｚ２）からガイド上面３０４に沿って直進して中間点（ｙ３，ｚ２）に至り、そして、中間点から略弧を描いてＹ軸と点（ｙ４，０）で交差し、終点（ｙ３，−ｚ３）に至る。
【００３４】
また、第２ガイド穴３１１は、外側スライド面３０１の中央を中心に第１ガイド穴３１０と点対称に設けられる。すなわち、第２ガイド穴３１１は、外側スライド面３０１の中央（０，０）からガイド底面３０３とガイド右側面３０６に所定の距離ずつ近づいた開始点（ｙ２，−ｚ２）からガイド底面３０３に沿って直進して中間点（−ｙ３，−ｚ２）に至り、そして、中間点から略弧を描いてＹ軸と点（−ｙ４，０）で交差し、終点（−ｙ３，ｚ３）に至る。なお、−ｙ１＜−ｙ４＜−ｙ３＜−ｙ２＜０＜ｙ２＜ｙ３＜ｙ４＜ｙ１であり、−ｚ１＜−ｚ２＜−ｚ３＜０＜ｚ３＜ｚ２＜ｚ１である。
【００３５】
ワイヤ溝３１２は第１ガイド穴３１０の開始点（−ｙ２，ｚ２）から第２ガイド穴３１１の終点（−ｙ３，ｚ３）に至り、ワイヤ溝３１３は第２ガイド穴３１１の開始点（ｙ２，−ｚ２）から第１ガイド穴３１０の終点（ｙ３，−ｚ３）に至る。すなわち、外側スライド面３０１には、第１ガイド穴３１０、第２ガイド穴３１１、ワイヤ溝３１２、３１３によって略楕円が描画される。
【００３６】
図９に戻ると、パーツ側スライド面３０２には、上記の第１ガイド穴３１０と第２ガイド穴３１１とが形成される。さらに、パーツ側スライド面３０２には第１ガイド穴３１０と同一の形状を有し第１ガイド穴３１０と平行な第１ガイド溝３１４と、第２ガイド穴３１１と同一の形状を有し第２ガイド穴３１１と平行な第２ガイド溝３１５が設けられる。
【００３７】
ガイド溝等の構造について詳細に説明する。図１１は、パーツ側スライド面３０２を正面に見たガイドプレート３００のＹＺ平面図である。なお、図１１では、図１０に示した座標に対応するようにＹ軸の正負を反転して示している。図１１では、パーツ側スライド面３０２の中央を原点Ｏとする。ガイド底面３０３はＺ軸と点（０，−ｚ１）で交差し、ガイド上面３０４はＺ軸と点（０，ｚ１）で交差する。また、ガイド左側面３０５はＹ軸と点（−ｙ１，０）で交差し、ガイド右側面３０６はＹ軸と点（ｙ１，０）で交差する。
【００３８】
パーツ側スライド面３０２では、第１ガイド穴３１０は逆「つ」の字を描画し、開始点（−ｙ２，ｚ２）から終点（ｙ３，−ｚ３）に至り、第２ガイド穴３１１は開始点（ｙ２，−ｚ２）から終点（−ｙ３，ｚ３）に至る。
【００３９】
第１ガイド溝３１４は、第１ガイド穴３１０と同一の形状を有し第１ガイド穴３１０と平行である。すなわち、第１ガイド溝３１４の中心は、第１ガイド穴３１０の開始点（−ｙ２，ｚ２）からガイド底面３０３とガイド左側面３０５に所定の距離ずつ近づいた開始点（−ｙ２´，ｚ２´）からガイド上面３０４に沿って直進して中間点（ｙ３´，ｚ２´）に至り、そして、中間点から略弧を描いてＹ軸と点（ｙ４´，０）で交差し、終点（ｙ３´，−ｚ３´）に至る。
【００４０】
第２ガイド溝３１５は、パーツ側スライド面３０２の中央を中心に第１ガイド溝３１４と点対称に設けられる。すなわち、第２ガイド溝３１５は、開始点（ｙ２´，−ｚ２´）からガイド底面３０３に沿って直進して中間点（−ｙ３´，−ｚ２´）に至り、そして、中間点から略弧を描いてＹ軸と点（−ｙ４´，０）で交差し、終点（−ｙ３´，ｚ３´）に至る。
【００４１】
図６に戻ると、ワイヤ４００は、第１ピン１１０と第２ピン２１０とを連行する。具体的には、ワイヤ４００は、第１ガイド穴３１０、第２ガイド穴３１１、ワイヤ溝３１２（もしくはワイヤ溝３１３）を可動なように配置され、第１ピン１１０と第２ピン２１０を連行する。
【００４２】
以下では、第１形態から第２形態への切り替え動作について説明する。図１２は、各パーツの動きを説明するための図である。なお、図１２（１）〜（４）は、外側スライド面３０１を正面に観た図であり、ガイドプレート３００の背後に第１スライドパーツ１００及び第２スライドパーツ２００が配置される。また、図１２（１´）〜（４´）は、パーツ側スライド面３０２を正面に観た図であり、第１スライドパーツ１００及び第２スライドパーツ２００の背後にガイドプレート３００が配置される。なお、第１ピン１１０及び第２ピン２１０には十字線が付されている。また、図１２（１´）〜（４´）では、第１スライドパーツ１００及び第２スライドパーツ２００によって視覚不可なガイドプレート３００の構造、第１ピン１１０、第２ピン２１０、突起部１２１及び突起部２２１も示されている。
【００４３】
第１形態では、図１２（１）に示すように、第１ピン１１０は第１ガイド穴３１０の開始点（−ｙ２，ｚ２）に位置し、第２ピン２１０は第２ガイド穴３１１の開始点（ｙ２，−ｚ２）に位置する。そして、ワイヤ４００は、第１ガイド穴３１０からワイヤ溝３１２を経由して第２ガイド穴３１１に至り、第１ピン１１０と第２ピン２１０とを連行する。また、図１２（１´）に示すように、第１スライドパーツ１００の突起部１２１は、第１ガイド溝３１４の開始点（−ｙ２´，ｚ２´）に嵌り、第２スライドパーツ２００の突起部２２１は、第２ガイド溝３１５の開始点（ｙ２´，−ｚ２´）に嵌る。このとき、第１スライドパーツ１００の段差部１２２はガイド上面３０４の鉛直上方向に位置し、第２スライドパーツ２００の段差部２２２はガイド底面３０３の鉛直下方向に位置する。
【００４４】
第１形態から第１スライドパーツ１００が水平方向に（図示の例では、第１左側面１０５と第２右側面２０６とが近づくように）スライド移動して、第１ピン１１０が第１ガイド穴３１０の中間点（ｙ３，ｚ２）に至る（図１２（２）参照）。このとき、突起部１２１も第１ガイド溝３１４に沿って中間点（ｙ３´，ｚ２´）に至り（図１２（２´）参照）、第１スライドパーツ１００のスライド移動時のがたつきや第１ピン１１０を中心とした回転が防止される。
【００４５】
また、第２ガイド穴３１１の略弧部分が定滑車としての役割を果たし、ワイヤ４００は、第２ピン２１０を第２ガイド穴３１１の中間点（−ｙ３，−ｚ２）に引っ張る。言い換えると、ワイヤ４００が第１ピン１１０と第２ピン２１０とを外側スライド面３０１の中央を中心に点対称に連動させるので、第１スライドパーツ１００をスライドさせるだけで第２スライドパーツ２００もスライドする。
【００４６】
図１２（２）及び（２´）に示した中間形態において、第１スライドパーツ１００と第２スライドパーツ２００の重なりが解消され、さらに、段差部１２２とガイド上面３０４は水平方向にずれた位置になり、段差部２２２とガイド底面３０３も水平方向にずれた位置になる。
【００４７】
上記の中間形態から第１スライドパーツ１００及び第２スライドパーツ２００は鉛直方向にガイドされる。具体的には、第１スライドパーツ１００は、中間形態から水平方向へのスライド移動に加えて鉛直下方向へもスライド移動する。すなわち、第１ピン１１０は、中間点（ｙ３，ｚ２）から略弧を描いてＹ軸と点（ｙ４，０）で交差するように移動する（図１２（３）及び（３´）参照）。そして、交差点（ｙ４，０）からは水平逆方向及び鉛直下方向にスライド移動して終点（ｙ３，−ｚ３）に至る（図１２（４）及び（４´）参照）。なお、突起部１２１も第１ガイド溝３１４に沿って移動し、Ｙ軸と点（ｙ４´，０）で交差して終点（ｙ３´，−ｚ３´）に至る。
【００４８】
また、第２スライドパーツ２００は、ワイヤ４００によって第１スライドパーツ１００に連動する。すなわち、第２ピン２１０は、中間点（−ｙ３，−ｚ２）から略弧を描いてＹ軸と点（−ｙ４，０）で交差するようにスライド移動する（図１２（３）及び（３´）参照）。そして、交差点（−ｙ４，０）からは水平逆方向及び鉛直上方向にスライド移動して終点（−ｙ３，ｚ３）に至る（図１２（４）及び（４´）参照）。なお、突起部２２１も第２ガイド溝３１５に沿って移動し、Ｙ軸と点（−ｙ４´，０）で交差して終点（−ｙ３´，ｚ３´）に至る。
【００４９】
なお、図１２（４）から図１２（１）に到るようにすれば、第２形態から第１形態への切り替えも可能である。
【００５０】
第２形態では、図１２（４）及び（４´）に示すように、第１上面１０４及び第２上面２０４が同一平面上に並ぶことが望ましい。具体的には、数式「ｚ１＝ｚ２＋ｚ３」が成り立つことが望ましい。このようにすれば、表示筐体１のディスプレイ及び表示筐体２のディスプレイが同一平面上に並び、いわゆるフルフラットな状態が実現される。
【００５１】
また、第１左側面１０５と第２右側面２０６とが当接する、ないし、間隙無く対向することが望ましい。具体的には、数式「ｙ１＝ｙ２＋ｙ３」が成り立つことが望ましい。
【００５２】
なお、アンテナ５などの通信パーツは表示筐体１又は２に取り付けることもできるし、図１３に示すように、スライド構造３又は４に取り付けることもできる。図１３は、アンテナ５の位置の一例を示す図である。
【００５３】
上記の実施形態の一部又は全部は、以下の付記のようにも記載され得るが、以下には限られない。
【００５４】
（付記１）
第１状態では互いに重なる位置に配置されて、第２状態では互いに水平な位置に配置されるようにスライド可能な第１スライドパーツ及び第２スライドパーツと、
前記第１スライドパーツに取り付けられる第１ピンと、
前記第１ピンが挿通され前記第１スライドパーツのスライド移動をガイドする第１ガイド穴が設けられたガイドプレートを備え、
前記第１ガイド穴は、前記第１スライドパーツと前記第２スライドパーツとが重なった状態にあるときには前記第１スライドパーツを水平方向にガイドし、前記第１スライドパーツと前記第２スライドパーツの重なりが解消された状態にあるときには前記第１スライドパーツを鉛直方向にガイドすること、
を特徴とするスライド構造。
【００５５】
（付記２）
前記第２スライドパーツに取り付けられる第２ピンとを備え、
前記ガイドプレートは、前記第２ピンが挿通され前記第２スライドパーツのスライド移動をガイドする第２ガイド穴をさらに有し、
前記第２ガイド穴は、前記第１スライドパーツと前記第２スライドパーツとが重なった状態にあるときには前記第２スライドパーツを前記第１スライドパーツとは逆の水平方向にガイドし、前記第１スライドパーツと前記第２スライドパーツの重なりが解消された状態にあるときには前記第２スライドパーツを前記第１スライドパーツとは逆の鉛直方向にガイドすること、
を特徴とする付記１に記載のスライド構造。
【００５６】
（付記３）
前記第２ガイド穴は、前記ガイドプレートの中央を中心として前記第１スライドパーツと点対称に位置するように前記第２スライドパーツをガイドすることを特徴とする付記２に記載のスライド構造。
【００５７】
（付記４）
前記第１ピンと前記第２ピンとを連行するワイヤをさらに備え、
前記ガイドプレートは、前記第１ガイド穴と前記第２ガイド穴とを連通するワイヤ溝を有し、
前記ワイヤは、前記第１スライドパーツの移動と前記第２スライドパーツの移動とを連動させることを特徴とする付記３に記載のスライド構造。
【００５８】
（付記５）
第１状態では互いに重なる位置に配置されて、第２状態では互いに水平な位置に配置されるようにスライド可能な第１スライドパーツ及び第２スライドパーツと、
前記第１スライドパーツに取り付けられる第１ピンと、
前記第１ピンが挿通され前記第１スライドパーツのスライド移動をガイドする第１ガイド穴が設けられたガイドプレートとによって、
前記第１スライドパーツと前記第２スライドパーツとが重なった状態にあるときには前記第１スライドパーツを水平方向にガイドし、前記第１スライドパーツと前記第２スライドパーツの重なりが解消された状態にあるときには前記第１スライドパーツを鉛直方向にガイドすること、
を特徴とするスライド方法。
【００５９】
（付記６）
第１状態では互いに重なる位置に配置されて、第２状態では互いに水平な位置に配置されるようにスライド可能な第１スライドパーツ及び第２スライドパーツと、
前記第１スライドパーツに取り付けられる第１ピンと、
前記第１ピンが挿通され前記第１スライドパーツのスライド移動をガイドする第１ガイド穴が設けられたガイドプレートを備え、
前記第１ガイド穴は、前記第１スライドパーツと前記第２スライドパーツとが重なった状態にあるときには前記第１スライドパーツを水平方向にガイドし、前記第１スライドパーツと前記第２スライドパーツの重なりが解消された状態にあるときには前記第１スライドパーツを鉛直方向にガイドすること、
を特徴とする端末装置。
【００６０】
（付記７）
第１状態では互いに重なる位置に配置されて、第２状態では互いに水平な位置に配置されるようにスライド可能な第１スライドパーツ及び第２スライドパーツと、
前記第１スライドパーツに取り付けられる第１ピンと、
前記第１ピンが挿通される第１ガイド穴が設けられたガイドプレートを備え、
前記第１ガイド穴は、前記第２スライドパーツの外周に沿ってＬ字ないし逆Ｌ字の形状を有すること、
を特徴とするスライド構造。
【００６１】
（付記８）
第１状態では互いに重なる位置に配置されて、第２状態では互いに水平な位置に配置されるようにスライド可能な第１スライドパーツ及び第２スライドパーツと、
前記第１スライドパーツに取り付けられる第１ピンと、
前記第２スライドパーツに取り付けられる第２ピンと、
前記第１ピンが挿通される第１ガイド穴と、前記第２ピンが挿通される第２ガイド穴とが設けられたガイドプレートを備え、
前記第１ガイド穴は、前記第１スライドパーツとの対向側面（すなわち、パーツ側スライド面３０２）に前記ガイドプレートの外周に沿って「つ」の字ないし逆「つ」の字を描画し、
前記第２ガイド穴は、前記対向側面の中央を中心に前記第１ガイド穴と点対称に設けられること、
を特徴とするスライド構造。
【００６２】
（付記９）
前記第１ピンと前記第２ピンとを連行するワイヤをさらに備え、
前記ガイドプレートには、前記対向側面に略楕円を描画するように前記第１ガイド穴と前記第２ガイド穴とを連通する一対のワイヤ溝が更に設けれられること、
を特徴とする付記８に記載のスライド構造。
【００６３】
（付記１０）
前記ガイドプレートは、前記第１ガイド穴と同一の形状であり前記第１ガイド穴と平行な第１ガイド溝と、前記第２ガイド穴と同一の形状であり前記第２ガイド穴と平行な第２ガイド溝とを更に有し、
前記第１スライドパーツは、前記第１ガイド溝に対応する突起部を有し、
前記第２スライドパーツは、前記第２ガイド溝に対応する突起部を有すること、
を特徴とする付記８又は９に記載のスライド構造。
【００６４】
なお、上記の各特許文献の開示を、本書に引用をもって繰り込むものとする。本発明の全開示（請求の範囲を含む）の枠内において、さらにその基本的技術思想に基づいて、実施形態ないし実施例の変更・調整が可能である。
【００６５】
例えば、第１ピン１１０は、第１ガイド穴３１０を貫通していなくても良い。すなわち、第１ガイド穴３１０は、第１スライドパーツ１００のスライド移動をガイドすれば良く、ワイヤ溝３１２や３１３、あるいは、第１ガイド溝３１４や第２ガイド溝３１５と同様の溝状構造であっても良い。
【００６６】
また、第１ガイド穴３１０には、第１形態及び第２形態に保持するための構造や、スライド移動を円滑にするための構造を設けても良い。例えば、第１スライドパーツ１００が第１ガイド穴３１０の開始点から鉛直上方向に移動した後に水平方向にスライド可能なようにすれば、開始点では第１スライドパーツ１００の水平方向の移動は防止され、スライド移動時の第１底面１０３と第２上面２０４の接触も防止することができる。
【００６７】
また、ワイヤ４００ではなく、いわゆる、ラック・ピニオン構造で第１ピン１１０と第２ピン２１０を連動させるようにしても良い。
【００６８】
そして、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【符号の説明】
【００６９】
１        ：表示筐体
２        ：表示筐体
３        ：スライド構造
４        ：スライド構造
５        ：アンテナ
１００    ：第１スライドパーツ
１０１    ：第１スライド面
１０２    ：第１設置面
１０３    ：第１底面
１０４    ：第１上面
１０５    ：第１左側面
１０６    ：第１右側面
１１０    ：第１ピン
１１１    ：第１カバープレート
１２１    ：突起部
１２２    ：段差部
１２３    ：ピン穴
１２４    ：接合穴
１２５    ：切込部
１２６    ：接合爪
１２７    ：ピン穴
２００    ：第２スライドパーツ
２０１    ：第２スライド面
２０２    ：第２設置面
２０３    ：第２底面
２０４    ：第２上面
２０５    ：第２左側面
２０６    ：第２右側面
２１０    ：第２ピン
２１１    ：第２カバープレート
２２１    ：突起部
２２２    ：段差部
３００    ：ガイドプレート
３０１    ：外側スライド面
３０２    ：パーツ側スライド面
３０３    ：ガイド底面
３０４    ：ガイド上面
３０５    ：ガイド左側面
３０６    ：ガイド右側面
３１０    ：第１ガイド穴
３１１    ：第２ガイド穴
３１２    ：ワイヤ溝
３１３    ：ワイヤ溝
３１４    ：第１ガイド溝
３１５    ：第２ガイド溝
４００    ：ワイヤ
【図１】
2015039099.tif 000003
【図２】
2015039099.tif 000004
【図３】
2015039099.tif 000005
【図４】
2015039099.tif 000006
【図５】
2015039099.tif 000007
【図６】
2015039099.tif 000008
【図７】
2015039099.tif 000009
【図８】
2015039099.tif 000010
【図９】
2015039099.tif 000011
【図１０】
2015039099.tif 000012
【図１１】
2015039099.tif 000013
【図１２】
2015039099.tif 000014
【図１３】
2015039099.tif 000015